(57)【要約】【課題】  外キャップの窓部内に設けた操作部を押圧しない限り、内キャップを回動できないようにして、子供の悪戯等による開栓を防止することができる安全キャップを提供すること。【解決手段】  容器本体に螺合される内キャップと、内キャップに対して、回動および上下動が可能に嵌合された外キャップからなる安全キャップであって、内キャップは、容器本体の注出口を覆う第１頂壁と、第１頂壁の周縁から垂下され、容器本体と螺合する第１側周壁と、第１側周壁の下端からフランジ壁を介して立設され、外周に外向きリブを有する外筒壁を備え、外キャップは、内キャップを覆う第２頂壁と、第２頂壁の周縁から垂下される第２側周壁とを備え、第２側周壁には、少なくとも１箇所の窓部を形成し、窓部の内側に屈曲部を介し、内面に内向きリブを有する操作部を連設したことを特徴とする。【選択図】  図１
2018034849.tif 000002
【特許請求の範囲】
【請求項１】
容器本体に螺合される内キャップと、内キャップに対して、回動および上下動が可能に嵌合された外キャップからなる安全キャップであって、
内キャップは、容器本体の注出口を覆う第１頂壁と、第１頂壁の周縁から垂下され、容器本体と螺合する第１側周壁と、第１側周壁の下端からフランジ壁を介して立設され、外周に外向きリブを有する外筒壁を備え、
外キャップは、内キャップを覆う第２頂壁と、第２頂壁の周縁から垂下される第２側周壁とを備え、
第２側周壁には、少なくとも１箇所の窓部を形成し、窓部の内側に屈曲部を介し、内面に内向きリブを有する操作部を連設し、
操作部を押圧したときのみ、内キャップの外向きリブと、外キャップの内向きリブが係合して、内キャップと外キャップとを同時に回動できるようにしたことを特徴とする安全キャップ。
【請求項２】
外キャップは、第２側周壁に直径方向に対向する２箇所の窓部が形成されていることを特徴とする請求項１記載の安全キャップ。
【請求項３】
内キャップは、第１頂壁の上面に設けられたラチェット歯を有し、
外キャップは、第２頂壁の下面に設けられたラチェット歯と対向するラチェット爪を有し、
外キャップを閉方向に回転したときには、ラチェット歯にラチェット爪が係合して内キャップも回転するが、開方向に回転したときには、外キャップが上昇して空回り状態となることを特徴とする請求項１または２記載の安全キャップ。
【請求項４】
操作部は、窓部上方から屈曲部を介して連設されることを特徴とする請求項１〜３のいずれかに記載の安全キャップ。
【請求項５】
操作部は、窓部下方から屈曲部を介して連設されることを特徴とする請求項１〜３のいずれかに記載の安全キャップ。
【請求項６】
容器本体は、チューブ容器本体であり、
チューブ容器本体は、肩部付近に設けられた立ち上げ壁を有し、
立ち上げ壁は、外キャップの第２側周壁の下端部内周と当接していることを特徴とする請求項１〜５のいずれかに記載の安全キャップ。
【発明の詳細な説明】
【技術分野】
【０００１】
本発明は、子供が容易にキャップを解放することができない安全キャップに関し、詳しくは特定の操作部を押圧しない限り、回動できないようにした安全キャップに関するものである。
【背景技術】
【０００２】
従来、内容物を収納した容器本体に螺合されるキャップにおいては、単にキャップを開栓方向に回動させるだけでキャップを容器の口頸部から螺脱させることが可能なため、子供によってキャップが開けられた場合、内容物が外部に流出したり、誤って服用したりすることがあり、安全性の観点から子供が容易に取り外すことができないようにした安全キャップが知られている。
【０００３】
安全キャップとして、キャップの指定された側面を押圧して、容器の突起部とキャップの歯部との係合を解き、キャップを回動させることによって、キャップを取り外すことができる安全キャップ装置が提案されている（例えば、特許文献１参照）。
【先行技術文献】
【特許文献】
【０００４】
【特許文献１】特開昭５１−２４３８２号公報
【発明の概要】
【発明が解決しようとする課題】
【０００５】
しかしながら、上記特許文献１記載の安全キャップ装置の場合、子供がキャップの押圧する指定箇所を握ってしまった場合には、偶然な行動でキャップが開放されてしまうという問題があり、安全キャップとして不充分なものであった。
また、上記安全キャップ装置においては、容器に突起部を設けたものが使用されており、通常の容器には使用できないという問題があった。
【０００６】
本発明は、上記問題を解決することを課題とし、外キャップの窓部内の操作部を押圧しない限り、内キャップを回動できないようにして、子供の悪戯等による開栓を防止することができる安全キャップを提供すること、および、一般的な容器や種々の用途の容器に適用可能な安全キャップを提供することを目的とする。
【課題を解決するための手段】
【０００７】
本発明は、上記の課題を解決するため、安全キャップとして、容器本体に螺合される内キャップと、内キャップに対して、回動および上下動が可能に嵌合された外キャップからなる安全キャップであって、内キャップは、容器本体の注出口を覆う第１頂壁と、第１頂壁の周縁から垂下され、容器本体と螺合する第１側周壁と、第１側周壁の下端からフランジ壁を介して立設され、外周に外向きリブを有する外筒壁を備え、外キャップは、内キャップを覆う第２頂壁と、第２頂壁の周縁から垂下される第２側周壁とを備え、第２側周壁には、少なくとも１箇所の窓部を形成し、窓部の内側に屈曲部を介し、内面に内向きリブを有する操作部を連設し、操作部を押圧したときのみ、内キャップの外向きリブと、外キャップの内向きリブが係合して、内キャップと外キャップとを同時に回動できるようにしたことを特徴とする構成を採用する。
【０００８】
安全キャップの具体的実施形態として、外キャップは、第２側周壁に直径方向に対向する２箇所の窓部が形成されていることを特徴とする構成、および、内キャップは、第１頂壁の上面に設けられたラチェット歯を有し、外キャップは、第２頂壁の下面に設けられたラチェット歯と対向するラチェット爪を有し、外キャップを閉方向に回転したときには、ラチェット歯にラチェット爪が係合して内キャップも回転するが、開方向に回転したときには、外キャップが上昇して空回り状態となることを特徴とする構成を採用する。
さらに、外キャップの具体的実施形態として、操作部は、窓部上方から屈曲部を介して連設されることを特徴とする構成、および、操作部は、窓部下方から屈曲部を介して連設されることを特徴とする構成を採用する。
【０００９】
容器本体の具体的実施形態として、容器本体は、チューブ容器本体であり、チューブ容器本体は、肩部付近に設けられた立ち上げ壁を有し、立ち上げ壁は、外キャップの第２側周壁の下端部内周と当接していることを特徴とする構成を採用する。
【発明の効果】
【００１０】
本発明の安全キャップは、上記構成を有することにより、外キャップの窓部内に設けられた操作部を押圧するときにだけ、安全キャップを開放することができるため、子供の悪戯等による開放を防止することができ、開放による内容物の流出や子供の誤飲などを防止することができる。
また、様々な容器に利用可能であり、特に、チューブ容器の場合には、チューブが変形して押圧して回転しづらくなるため、チューブ容器の肩部に立ち上げ壁を設けることによって使用することが可能となる。
【図面の簡単な説明】
【００１１】
【図１】本発明のキャップの実施例１における閉蓋状態を示す図であり、（ａ）は正面斜視図、（ｂ）は側面断面図である。
【図２】本発明のキャップの実施例１における正面断面図であり、（ａ）は安全キャップを閉じたばかりの図であり、（ｂ）は開方向に外キャップを回転した時、外キャップが上昇し、空回り状態を示す図である。
【図３】本発明のキャップの実施例１における閉蓋状態を示す図であり、（ａ）は上面図、（ｂ）は図１（ｂ）のＸ１−Ｘ１矢視断面図である。
【図４】本発明のキャップの実施例１において、操作部を押圧した状態を示す図であり、（ａ）は側面断面図であり、（ｂ）はＸ２−Ｘ２矢視断面図である。
【図５】本発明のキャップの実施例２における閉蓋状態を示す図であり、（ａ）は正面斜視図、（ｂ）は側面断面図である。
【図６】本発明のキャップの実施例２における閉蓋状態を示す図であり、（ａ）は上面図、（ｂ）は図５（ｂ）のＹ１−Ｙ１矢視断面図である。
【図７】本発明のキャップの実施例２において、操作部を押圧した状態を示す図であり、（ａ）は側面断面図であり、（ｂ）はＹ２−Ｙ２矢視断面図である。
【発明を実施するための形態】
【００１２】
次に、本発明の安全キャップをクリーム状物等の内容物を絞り出して使用するチューブ容器のキャップとして具体化した実施形態について、実施例を示した図面を参照して説明する。
【実施例１】
【００１３】
図１、２において、Ａは合成樹脂製のチューブ容器本体、Ｂはチューブ容器本体Ａに装着される合成樹脂製の安全キャップであり、安全キャップＢは、内キャップＣと、内キャップＣを覆う外キャップＤとを備えている。
【００１４】
チューブ容器本体Ａは、筒体状の弾性圧搾可能な胴部１と、胴部１の上端に接合され、胴部１の外径よりも次第に縮径させて錐体状に形成された肩部２と、肩部２の縮径された上部から一体成形で立設され、内部に注出口３が形成された円筒状の口筒部４とから構成されている。
肩部２の外方端部には、段差状の立ち上げ壁５が形成され、口筒部４の外周には、雄ネジ６が螺設されている。
【００１５】
内キャップＣは、第１頂壁１０と、第１頂壁１０の周縁から垂下された円筒状の第１側周壁１１と、第１側周壁１１の下端部から外側に延設された環状のフランジ壁１２と、フランジ壁１２の周縁から立設された円筒状の外筒壁１３とから構成されている。
第１頂壁１０の上面には、図３に示すように、後述する外キャップＤと噛み合うラチェット歯１４が円周上に等間隔で４個設けられている。
なお、本実施例では、ラチェット歯１４は、４個設けられているが、複数設けられていれば、ラチェット歯１４の個数は、いくつでも構わない。
【００１６】
第１側周壁１１の内周には、雌ネジ１５が螺設され、フランジ壁１２の外縁には、環状の張出部１６が形成されている。
図３に示すように、外筒壁１３の外周には、断面形状が蒲鉾型の外向きリブ１７が等間隔に複数個形成されている。
なお、本実施例では、外向きリブ１７の断面形状は、蒲鉾型をなしているが、三角状や台形状でも構わない。外向きリブ１７の幅（太さ）および長さ（位置）は適宜設定できるが、後述する外キャップＤの内向きリブ２９と、操作部２８を押圧したときに係合する範囲でなければならない。
【００１７】
外キャップＤは、第２頂壁２０と、第２頂壁２０の周縁から垂下された円筒状の第２側周壁２１とから構成されている。
第２頂壁２０の下面には、前述の内キャップ本体Ｃの第１頂壁１０の上面に設けられたラチェット歯１４に対向する位置に、ラチェット爪２２が円周上に等間隔で４個設けられている。
なお、本実施例では、ラチェット爪２２は、４個設けられているが、ラチェット歯１４の個数に応じて複数設けられていれば、ラチェット爪２２の個数は、いくつでも構わない。
また、第２頂壁２０の外方下面には、前述の外筒壁１３の先端部と当接する環状に凹設された保持部２３が形成されている。
【００１８】
第２側周壁２１の内周下方には、前述の張出部１６と嵌合する嵌合凹部２４が形成され、嵌合凹部２４の下方には、前述の立ち上げ壁５と当接する抜け止め突部２５が形成されている。
さらに、第２側周壁２１は、直径方向に対向する２箇所の窓部２６が形成され、窓部２６の内側には、上方から屈曲部２７を介して連設された操作部２８が垂設されている。
操作部２８の内面には、前述の外向きリブ１７と対向する断面形状が蒲鉾型の内向きリブ２９が等間隔に複数個形成されている。
なお、本実施例では、内向きリブ２９の断面形状は、外向きリブ１７と同様に蒲鉾型をなしているが、三角状や台形状でも構わない。内向きリブ２９の幅（太さ）および長さ（位置）は、内キャップＣの外向きリブ１７と同様に、操作部２８を押圧して外向きリブ１７と係合する範囲で適宜設定できる。
【００１９】
次に、本実施形態の使用態様と作用効果について図面を参照しながら説明する。
本実施例の安全キャップＢは、射出成形によって製造された合成樹脂製の内キャップＣと外キャップＤを組み合わせることから始める。
内キャップＣの上から外キャップＤを被せていくと、外キャップＤの第２側周壁２１の抜け止め突部２５が内キャップＣの張出部１６に当接するが、さらに押し込むと簡単に抜け止め突部２５が張出部１６を乗り越えることができ、張出部１６は、外キャップＤの嵌合凹部２４に収まる。
同時に、外キャップＤの保持部２３に、内キャップＣの外筒壁１３の先端部が当接し、内キャップＣは外キャップＤ内に組み合わされる。
【００２０】
内キャップＣと外キャップＤとが組み合わされた安全キャップＢを、内容物を充填する前のチューブ容器本体Ａの口筒部４に載せ、外キャップＤを閉方向に回転させると、内キャップＣのラチェット歯１４に外キャップＤのラチェット爪２２が係合して内キャップＣが回転し、チューブ容器本体Ａの雄ネジ６と内キャップＣの雌ネジ１５が螺合していく。
螺合が終了すると、外キャップＤの抜け止め突部２５は、チューブ容器本体Ａの立ち上げ壁５に当接し、図２（ａ）の状態となる。
チューブ容器本体Ａへの内容物の充填は、チューブ容器本体Ａの胴部１の充填口（図示しない）から内容物を充填し、充填口をシールすることで完了する。
【００２１】
この状態で、外キャップＤを開方向に回転させても、図２（ｂ）で示すとおり、外キャップＤのラチェット爪２２が内キャップＣのラチェット歯１４の上に乗り上げ、外キャップＤが上昇し、空回り状態となり、内キャップＣは回転せず、開栓することができない。
【００２２】
開栓するためには、図４に示すように、２つの窓部２６内に指を入れて、操作部２８を押圧すると、操作部２８の内面の内向きリブ２９と、内キャップＣの外筒壁１３の外周の外向きリブ１７と噛み合うため、そのまま外キャップＤを開方向に回転すると、内キャップＣも回転して、チューブ容器本体Ａとの螺合が解き始め、そのまま回転し続けることによって、安全キャップＢをチューブ容器本体Ａから取り外すことができる。
【００２３】
操作部２８を押圧しながら、外キャップＤを回転させることは、指先での操作と握力のコントロールが必要となるため、子供では操作しづらく、子供による安全キャップＢの開放を防止することができる。
【実施例２】
【００２４】
次に、外キャップＤの窓部２６の操作部２８の構成を変更した第２実施例について説明する。
以下、第１実施例と同一の構成部分には同一の符号を付し、相違点を中心に説明する。
【００２５】
図５および６に示すように、本実施例では、第２側周壁２１の２箇所の窓部１２６の上部が開放されている。また、窓部１２６の内側には、窓部１２６の下方から屈曲部１２７を介して操作部１２８が立設されている。
操作部１２８の内面には、上方に断面形状が蒲鉾型の内向きリブ１２９が等間隔に複数個形成されている。
なお、内キャップＣの外筒壁１３の外周には、外向きリブ１１７が等間隔に複数個形成されており、内向きリブ１２９が上方にある関係上、外向きリブ１１７も外筒壁１３の上方まで形成されている。
【００２６】
本実施例の作用効果は、第１実施例と同様であり、図７に示すように、窓部１２６内に指を入れて、操作部１２８を押圧すると、操作部１２８の内面側の内向きリブ１２９と、内キャップＣの外筒壁１３の外周の外向きリブ１１７と噛み合い、そのまま外キャップＤを開方向に回転すると、内キャップＣも回転して、チューブ容器本体Ａとの螺合が解き始め、回転し続けることによって、安全キャップＢをチューブ容器本体Ａから取り外すことができる。
その他の構成は第１実施例と同じであり、同様の作用効果を奏する。
【００２７】
なお、上記実施例では、操作部は、窓部の上方あるいは下方から屈曲部を介して連設されたものであるが、左右どちらの側方からでも屈曲部を介して操作部を連設することも可能である。
また、本実施例では、窓部を２箇所形成したが、窓部を１箇所とすることも可能であり、その場合、親指を窓部に入れて操作部を押圧すれば、内キャップの外向きリブを外キャップの内向きリブでしっかり係合されるので、外キャップの回転によって内キャップも回転可能となる。
【００２８】
さらに、第１実施例および第２実施例では、容器本体としてチューブ容器本体Ａに使用する安全キャップＢの例を示したが、安全キャップは、チューブ容器本体でなくても、様々な容器に使用する安全キャップとすることが可能である。
なお、チューブ容器本体とした場合、チューブ容器が変形しやすいため、押圧しながらのキャップの回転がしづらくなるのを防ぐため、本実施例ではチューブ容器の肩部に立ち上げ壁が設けられているが、チューブ容器以外の容器においては、一般的には立ち上げ壁は不要となる。
【産業上の利用可能性】
【００２９】
本発明の安全キャップは、窓部内に設けられた操作部を押圧しない限りキャップを回転することができないため、子供の悪戯等による開栓を防止することができ、また、チューブ容器をはじめ、様々な容器の安全キャップとすることができるため、広く利用可能な安全キャップである。
【符号の説明】
【００３０】
Ａ            チューブ容器本体（容器本体）
Ｂ            安全キャップ
Ｃ            内キャップ
Ｄ            外キャップ
１            胴部
２            肩部
３            注出口
４            口筒部
５            立ち上げ壁
６            雄ネジ
１０            第１頂壁
１１            第１側周壁
１２            フランジ壁
１３            外筒壁
１４            ラチェット歯
１５            雌ネジ
１６            張出部
１７、１１７    外向きリブ
２０            第２頂壁
２１            第２側周壁
２２            ラチェット爪
２３            保持部
２４            嵌合凹部
２５            抜け止め突部
２６、１２６    窓部
２７、１２７    屈曲部
２８、１２８    操作部
２９、１２９    内向きリブ
【図１】
2018034849.tif 000003
【図２】
2018034849.tif 000004
【図３】
2018034849.tif 000005
【図４】
2018034849.tif 000006
【図５】
2018034849.tif 000007
【図６】
2018034849.tif 000008
【図７】
2018034849.tif 000009